(57)【要約】【課題】飲食物ごとに異なる温度で加熱することができる飲食物加熱運搬装置を提供すること。【解決手段】本発明では、飲食物を収容可能な複数段の棚(13)を設けるとともに、各棚(13)の飲食物を電磁波を用いて加熱するための加熱手段(26)を設けた飲食物加熱運搬装置(1)において、加熱手段(26)は、入力側電磁波導波管(32)から出力側電磁波導波管(33,34)へ電磁波を伝送する電磁波伝送装置(31)を有し、電磁波伝送装置(31)は、電磁波が透過しない連通孔(37,38)を入力側電磁波導波管(32)と出力側電磁波導波管(33,34)とに形成するとともに、電磁波が伝搬するアンテナ(39,40)を前記連通孔(37,38)に進退可能に配置し、前記アンテナ(39,40)を入力側電磁波導波管(32)及び出力側電磁波導波管(33,34)の内部に進出させることで入力側電磁波導波管(32)から出力側電磁波導波管(33,34)へ電磁波が伝送するように構成することにした。【選択図】図２
2017034391.tif 000002
【特許請求の範囲】
【請求項１】
入力側電磁波導波管から出力側電磁波導波管へ電磁波を伝送する電磁波伝送装置において、
電磁波が透過しない連通孔を入力側電磁波導波管と出力側電磁波導波管とに形成するとともに、電磁波が伝搬するアンテナを前記連通孔に進退可能に配置し、前記アンテナを入力側電磁波導波管及び出力側電磁波導波管の内部に進出させることで入力側電磁波導波管から出力側電磁波導波管へ電磁波が伝送するように構成したことを特徴とする電磁波伝送装置。
【請求項２】
前記出力側電磁波導波管を複数設け、各出力側電磁波導波管に前記連通孔を形成し、各連通孔に前記アンテナを配置し、いずれかの出力側電磁波導波管のみに入力側電磁波導波管から電磁波を選択的に伝送するように構成したことを特徴とする請求項１に記載の電磁波伝送装置。
【請求項３】
飲食物を収容可能な複数段の棚を設けるとともに、各棚の飲食物を電磁波を用いて加熱するための加熱手段を設けた飲食物加熱運搬装置において、
加熱手段は、入力側電磁波導波管から出力側電磁波導波管へ電磁波を伝送する電磁波伝送装置を有し、
電磁波伝送装置は、電磁波が透過しない連通孔を入力側電磁波導波管と出力側電磁波導波管とに形成するとともに、電磁波が伝搬するアンテナを前記連通孔に進退可能に配置し、前記アンテナを入力側電磁波導波管及び出力側電磁波導波管の内部に進出させることで入力側電磁波導波管から出力側電磁波導波管へ電磁波が伝送するように構成したことを特徴とする飲食物加熱運搬装置。
【発明の詳細な説明】
【技術分野】
【０００１】
本発明は、入力側電磁波導波管から出力側電磁波導波管へ電磁波を伝送するための電磁波伝送装置、及び、同電磁波伝送装置を有し、電磁波を用いて加熱した飲食物を運搬するための飲食物加熱運搬装置に関するものである。
【背景技術】
【０００２】
従来より、病院や学校などの施設において、温められた飲食物を提供するために、飲食物加熱運搬装置が利用されている。
【０００３】
この飲食物加熱運搬装置として、本出願人は、特許文献１に開示しているように、飲食物を載置したトレイを収容できる複数段の棚を形成するとともに、各棚に電磁波（マイクロ波）を用いて飲食物を加熱するための加熱手段を設けた構成の飲食物加熱運搬装置を開発している。この飲食物加熱運搬装置における加熱手段では、電磁波発生装置に電磁波導波管を接続し、電磁波導波管の開口部から電磁波を飲食物に向けて照射して飲食物を加熱するように構成している。
【０００４】
上記構成の飲食物加熱運搬装置においては、トレイに複数種類の飲食物が載置されており、各飲食物毎に最適な温度が異なることから、飲食物毎に異なる温度に加熱することが望まれている。
【０００５】
トレイに載置された複数種類の飲食物をそれぞれ異なる温度で加熱するためには、電磁波発生装置及び電磁波導波管からなる加熱手段を各トレイごとに複数個設けた構成とする方法や、特許文献２に開示されているような電磁波導波管に分岐部を形成するとともに分岐部に切替板を設けた電磁波伝送装置を用いる方法が考えられる。
【先行技術文献】
【特許文献】
【０００６】
【特許文献１】特開２０１５−９０２８号公報
【特許文献２】特開２００７−１０３５０９号公報
【発明の概要】
【発明が解決しようとする課題】
【０００７】
ところが、上記従来の飲食物加熱運搬装置においては、飲食物を載置した各トレイごとに複数個の加熱手段（電磁波発生装置及び電磁波導波管）を設けた構成とすると、加熱手段の構成が複雑化してしまい、飲食物加熱運搬装置のコストが増大するとともに、重量が増大してしまい運搬性能が低下するといった問題がある。
【０００８】
また、上記従来の電磁波伝送装置においては、電磁波導波管と切替板との間で金属同士の接離動作による摩耗や放電による静電破壊などが生じてしまい、長期間にわたって安全に使用することが困難であるといった問題がある。
【課題を解決するための手段】
【０００９】
そこで、請求項１に係る本発明では、入力側電磁波導波管から出力側電磁波導波管へ電磁波を伝送する電磁波伝送装置において、電磁波が透過しない連通孔を入力側電磁波導波管と出力側電磁波導波管とに形成するとともに、電磁波が伝搬するアンテナを前記連通孔に進退可能に配置し、前記アンテナを入力側電磁波導波管及び出力側電磁波導波管の内部に進出させることで入力側電磁波導波管から出力側電磁波導波管へ電磁波が伝送するように構成することにした。
【００１０】
また、請求項２に係る本発明では、前記請求項１に係る本発明において、前記出力側電磁波導波管を複数設け、各出力側電磁波導波管に前記連通孔を形成し、各連通孔に前記アンテナを配置し、いずれかの出力側電磁波導波管のみに入力側電磁波導波管から電磁波を選択的に伝送するように構成することにした。
【００１１】
また、請求項３に係る本発明では、飲食物を収容可能な複数段の棚を設けるとともに、各棚の飲食物を電磁波を用いて加熱するための加熱手段を設けた飲食物加熱運搬装置において、加熱手段は、入力側電磁波導波管から出力側電磁波導波管へ電磁波を伝送する電磁波伝送装置を有し、電磁波伝送装置は、電磁波が透過しない連通孔を入力側電磁波導波管と出力側電磁波導波管とに形成するとともに、電磁波が伝搬するアンテナを前記連通孔に進退可能に配置し、前記アンテナを入力側電磁波導波管及び出力側電磁波導波管の内部に進出させることで入力側電磁波導波管から出力側電磁波導波管へ電磁波が伝送するように構成することにした。
【発明の効果】
【００１２】
そして、本発明では、以下に記載する効果を奏する。
【００１３】
すなわち、本発明では、入力側電磁波導波管から出力側電磁波導波管へ電磁波を伝送する電磁波伝送装置において、電磁波が透過しない連通孔を入力側電磁波導波管と出力側電磁波導波管とに形成するとともに、電磁波が伝搬するアンテナを前記連通孔に進退可能に配置し、前記アンテナを入力側電磁波導波管及び出力側電磁波導波管の内部に進出させることで入力側電磁波導波管から出力側電磁波導波管へ電磁波が伝送するように構成しているために、金属同士の接離動作による摩耗や放電などが生じることがなく、電磁波伝送装置の寿命や安全性を向上させることができる。
【００１４】
また、本発明では、上記電磁波伝送装置を飲食物加熱運搬装置に適用することで、飲食物加熱運搬装置で飲食物毎に最適な温度で加熱できるように構成しても、加熱手段の構成が複雑化することによって生じる飲食物加熱運搬装置のコストの増加や重量の増加などを防止することができる。
【図面の簡単な説明】
【００１５】
【図１】飲食物加熱運搬装置（カート及びステーション）を示す正面図（ａ）、同右側面図（ｂ）。
【図２】同平面断面図（ａ）、同右側面断面図。
【図３】ステーションを示す正面断面図（ａ）、同右側面断面図（ｂ）。
【図４】同平面断面図。
【図５】電磁波伝送装置を示す右側面断面図（ａ）、同正面断面図（ｂ）。
【図６】電磁波伝送装置の動作を示す正面断面図。
【発明を実施するための形態】
【００１６】
以下に、本発明に係る電磁波伝送装置及び同電磁波伝送装置を用いた飲食物加熱運搬装置の具体的な構成について図面を参照しながら説明する。
【００１７】
図１〜図４に示すように、飲食物加熱運搬装置１は、飲食物を収容可能なカート２と、２台のカート２を左右に並べて収容可能なステーション３とに分離可能に構成している。
【００１８】
カート２は、図２に示すように、矩形板状の底板４の下部に４個のキャスター５を取付けるとともに、底板４の左右上部に縦長矩形板状の左右側壁6,7を取付けている。また、カート２は、左右側壁6,7の上端部間に矩形板状の天板８を取付けるとともに、左右側壁6,7の前端部間に上下に開閉可能な縦長矩形板状のシャッター９を取付け、左右側壁6,7の後端部間に縦長矩形板状の後壁10を取付けている。さらに、カート２は、飲食物を載置するためのトレイ11の左右端縁下部を支持する左右一対の支持ステー12,12を左右側壁6,7に上下に所定の間隔をあけて取付けている。これにより、カート２は、底板４と左右側壁6,7と天板８とシャッター９と後壁10とで囲まれる内部空間が支持ステー12,12で支持されるトレイ11で上下に分割されることによって、内部に複数の棚13を上下に並べて形成している。各棚13には、左右中央部に横長矩形板状の仕切壁14が設けられている。仕切壁14は、左側壁６に３本の支持体15で支持されている。
【００１９】
ステーション３は、図３に示すように、縦長矩形板状の左右側壁16,17の中間に仕切壁18を配置し、左右側壁16,17及び仕切壁18の上端部に中空箱型状の天板部19を形成している。また、ステーション３は、左右側壁16,17の前端部間に上下に開閉可能な矩形板状のシャッター20を取付けるとともに、左右側壁16,17の後端部間に中空箱型状の後壁部21を形成している。これにより、ステーション３は、左右側壁16,17と天板部19とシャッター20と後壁部21とで囲まれた内部空間22に仕切壁18で仕切られた左右２個のカート２を収容するための空間23,24を形成している。
【００２０】
このステーション３には、内部にカート２を収容させた状態でカート２に収容された飲食物を冷却や加熱するための冷却手段25及び加熱手段26と、これらを制御する制御手段27とが設けられている。
【００２１】
冷却手段25は、図３に示すように、冷風発生装置28で発生した所定温度の冷風を後壁部21に上下に間隔をあけて並べて形成した冷風供給口29から内部空間22にファン等で強制的に供給するよう構成している。冷風供給口29は、ステーション３の内部にカート２を収容させた状態において、カート２の各棚13（ステーション３を正面から見た場合には右側）に対応する位置に形成されている。これにより、冷却手段25は、冷風供給口29からカート２の各棚13（ステーション３を正面から見た場合には右側）に向けて冷風を供給し、トレイ11に載置された飲食物を冷却する。
【００２２】
加熱手段26は、図３及び図４に示すように、カート２の各棚13（ステーション３を正面から見た場合には左側）と対応する位置にそれぞれ設けられており、各加熱手段26で各棚13（トレイ11に載置された飲食物）を加熱する。
【００２３】
各加熱手段26は、図５に示すように、電磁波（ここでは、マイクロ波）を発生するための電磁波発生装置30に電磁波を伝送するための電磁波伝送装置31を接続している。
【００２４】
電磁波伝送装置31は、前後に伸延する矩形管状の入力側電磁波導波管32の基端部（後端部）に電磁波発生装置30を取付けるとともに、入力側電磁波導波管32の先端部（前端部）の下部に左右に並べた第１及び第２の出力側電磁波導波管33,34の基端部（後端部）の上部を前後に伸延させた状態で取付け、各出力側電磁波導波管33,34の先端部（前端部）の上部に電磁波を放出する電磁波照射開口35,36を形成している。電磁波発生装置30から放射された電磁波は、入力側電磁波導波管32及び出力側電磁波導波管33,34を伝送した後に電磁波照射開口35,36から飲食物に向けて照射される。なお、入力側電磁波導波管32及び出力側電磁波導波管33,34は、電磁波発生装置30から発生された電磁波が伝送できる形状であればよく、電磁波が透過しない大きさ（電磁波の波長の1/2以下の幅）のスリット等を形成して軽量化等を図ってもよい。
【００２５】
入力側電磁波導波管32の先端部（前端部）の下部と出力側電磁波導波管33,34の基端部（後端部）の上部には、電磁波が透過しない大きさ（電磁波の波長の1/2以下の径）の貫通状の連通孔37,38が形成されている。各連通孔37,38には、電磁波が伝搬する金属等の素材からなる棒状のアンテナ39,40を上下に伸延させた状態で挿通させ、各アンテナ39,40の下端部にソレノイド41,42を絶縁体であるセラミックス製のロッド43,44を介して接続している。ソレノイド41,42は、制御手段27で駆動制御される。これにより、電磁波伝送装置31は、ソレノイド41,42によってアンテナ39,40を入力側電磁波導波管32及び出力側電磁波導波管33,34の内部で上下方向に進退移動させることができるようになっている。なお、電磁波発生装置30と各アンテナ39,40とは等距離となるようにしている。また、入力側電磁波導波管32の先端部（前端部）及び出力側電磁波導波管33,34の基端部（後端部）は、アンテナ39,40から電磁波の波長の1/4の距離で閉塞して電磁波が伝送されないようにしている。さらに、各アンテナ39,40が入力側電磁波導波管32の内部に進出している状態では、各アンテナ39,40と入力側導波管32との間で放電が生じないように各アンテナ39,40と入力側導波管32との間隔（距離）を保持している。
【００２６】
電磁波伝送装置31は、以上のように構成することで、アンテナ39,40が入力側電磁波導波管32と出力側電磁波導波管33,34の両方の内部に進出している状態では、電磁波発生装置30から放射された電磁波が、入力側電磁波導波管32からアンテナ39,40を介して出力側電磁波導波管33,34へと伝送され、一方、アンテナ39,40が入力側電磁波導波管32と出力側電磁波導波管33,34の両方の内部に進出していない状態では、電磁波発生装置30から放射された電磁波が、入力側電磁波導波管32から出力側電磁波導波管33,34へと伝送されないようになっている。ここで、アンテナ39,40が入力側電磁波導波管32と出力側電磁波導波管33,34の両方の内部に進出していない状態とは、アンテナ39,40を入力側電磁波導波管32と出力側電磁波導波管33,34の両方ともの内部に進出していない状態に限られず、アンテナ39,40を入力側電磁波導波管32又は出力側電磁波導波管33,34のいずれか一方のみの内部に進出していない状態でもよく、特に、アンテナ39,40を入力側電磁波導波管32の内部に進出していない状態とすることで、アンテナ39,40と入力側電磁波導波管32との間での放電を防止することができる。
【００２７】
これにより、図６（ａ）に示すように、両方のアンテナ39,40を入力側電磁波導波管32と第１及び第２の出力側電磁波導波管33,34の内部に進出させた場合には、電磁波発生装置30から放射された電磁波が、入力側電磁波導波管32からアンテナ39,40を介して第１及び第２の出力側電磁波導波管33,34に伝送され、第１及び第２の出力側電磁波導波管33,34の電磁波照射開口35,36から放出される。これにより、電磁波照射開口35,36の上方の飲食物を同時に加熱することができる。
【００２８】
また、図６（ｂ）に示すように、両方のアンテナ39,40を入力側電磁波導波管32の内部から退去させた場合には、電磁波発生装置30から放射された電磁波が、入力側電磁波導波管32からアンテナ39,40を介して第１及び第２の出力側電磁波導波管33,34には伝送されない。これにより、電磁波照射開口35,36の上方の飲食物の加熱を停止することができる。なお、両方のアンテナ39,40を入力側電磁波導波管32の内部から退去させた場合、電磁波発生装置30と入力側電磁波導波管32との間で放電が生じるおそれがある。そこで、制御手段27によって、電磁波発生装置30を停止させて電磁波が放射されないように制御するか、両方のアンテナ39,40が入力側電磁波導波管32の内部から退去しないように制御することが好ましい。
【００２９】
さらに、図６（ｃ）又は（ｄ）に示すように、一方のアンテナ39(40)だけを入力側電磁波導波管32と第１又は第２の出力側電磁波導波管33(34)の内部に進出させるとともに、他方のアンテナ40(39)を入力側電磁波導波管32の内部から退去させた場合には、電磁波発生装置30から放射された電磁波が、入力側電磁波導波管32から一方のアンテナ39(40)を介して第１又は第２の出力側電磁波導波管33(34)だけに伝送され、第１又は第２の出力側電磁波導波管33(34)の電磁波照射開口35(36)から放出される。これにより、いずれか一方の電磁波照射開口35(36)の上方の飲食物だけを加熱することができる。
【００３０】
そして、上記図６（ａ）〜（ｄ）に示す制御を適宜行うことで（たとえば、図６（ｂ）の状態を所定時間維持した後に図６（ｃ）の状態を所定時間維持するなど）、飲食物ごとに異なる温度で加熱することができる。
【００３１】
以上に説明したように、上記飲食物加熱運搬装置１では、飲食物を電磁波で加熱するための加熱手段26に入力側電磁波導波管32から出力側電磁波導波管33,34へ電磁波を伝送するための電磁波伝送装置31を設けた構成となっている。また、電磁波伝送装置31は、電磁波が透過しない連通孔37,38を入力側電磁波導波管32と出力側電磁波導波管33,34とに形成するとともに、電磁波が伝搬するアンテナ39,40を連通孔37,38に進退可能に配置し、アンテナ39,40を入力側電磁波導波管32及び出力側電磁波導波管33,34の内部に進出させることで入力側電磁波導波管32から出力側電磁波導波管33,34へ電磁波が伝送するように構成している。
【００３２】
これにより、上記電磁波伝送装置31では、金属同士の接離動作による摩耗や放電などが生じることがなく、電磁波伝送装置31の寿命や安全性を向上させることができる。
【００３３】
また、上記電磁波伝送装置31を飲食物加熱運搬装置１の加熱手段26に適用することで、飲食物加熱運搬装置１で飲食物毎に最適な温度で加熱できるように構成しても、加熱手段26の構成が複雑化することによって生じる飲食物加熱運搬装置１のコストの増加や重量の増加などを防止することができる。
【００３４】
さらに、上記電磁波伝送装置31では、出力側電磁波導波管33,34を複数設けるとともに、各出力側電磁波導波管33,34に連通孔37,38を形成し、各連通孔37,38にアンテナ39,40を配置した構成としている。
【００３５】
これにより、上記電磁波伝送装置31では、いずれかの出力側電磁波導波管33,34のみに入力側電磁波導波管32から電磁波を選択的に伝送させることができる。
【００３６】
なお、上記説明では、飲食物加熱運搬装置１をカート２と加熱手段26を設けたステーション３とに分離可能に構成しているが、これに限られず、カート２に加熱手段26を設けた構成の飲食物加熱運搬装置１としてもよい。また、上記説明では、電磁波が１個の入力側電磁波導波管32から２個の出力側電磁波導波管33,34に分岐するように構成しているが、これに限られず、電磁波が１個の入力側電磁波導波管から複数個の出力側電磁波導波管に分岐するように構成してもよく、また、電磁波が１個の入力側電磁波導波管から１個の出力側電磁波導波管に分岐せずに伝送するように構成してもよい。
【符号の説明】
【００３７】
１  飲食物加熱運搬装置              ２  カート
３  ステーション                    ４  底板
５  キャスター                      6,7  左右側壁
８  天板                            ９  シャッター
10  後壁                            11  トレイ
12  支持ステー                      13  棚
14  仕切壁                          15  支持体
16,17  左右側壁                     18  仕切壁
19  天板部                          20  シャッター
21  後壁部                          22  内部空間
23,24  空間                         25  冷却手段
26  加熱手段                        27  制御手段
28  冷風発生装置                    29  冷風供給口
30  電磁波発生装置                  31  電磁波伝送装置
32  入力側電磁波導波管              33  第１の出力側電磁波導波管
34  第２の出力側電磁波導波管        35,36  電磁波照射開口
37,38  連通孔                       39,40  アンテナ
41,42  ソレノイド                   43,44  ロッド
【図１】
2017034391.tif 000003
【図２】
2017034391.tif 000004
【図３】
2017034391.tif 000005
【図４】
2017034391.tif 000006
【図５】
2017034391.tif 000007
【図６】
2017034391.tif 000008